(57)【要約】【課題】照明部に対して回動可能な筐体部を照明部に容易に着脱することができ、かつ、筐体部の機能部を収容するための収容空間を確保し易くすることができるＬＥＤ照明装置を提供すること。【解決手段】ＬＥＤ１１ａの光を外部に出射する直管状カバー部１２と、直管状蛍光灯の一方のソケットに接続されるように直管状カバー部１２の一端部に設けられた電源供給接続部１３と、直管状カバー部１２の他端部を覆い、第一ガイド溝１４ａが形成された第一回動ガイド部１４と、を有する照明部１０と、他方のソケットに接続され、第二ガイド溝２１ａが形成された第二回動ガイド部２０と、一端部の第一回動可能嵌合部４１と、他端部の第二回動可能嵌合部４２と、第一、第二回動可能嵌合部４１、４２の径方向外側に収容空間を拡大して機能部３０が収容される機能部収容部４３と、を有し、照明部１０に対して回動可能、かつ、着脱可能に設けられた筐体部４０と、を有する。【選択図】図３
2020057490.tif 000002
【特許請求の範囲】
【請求項１】
ＬＥＤが内部に配置され、前記ＬＥＤの光を外部に出射する光透過性の部分を含む直管状カバー部と、直管状蛍光灯の一方のソケットから電源供給可能に接続されるように前記直管状カバー部の一端部に設けられた電源供給接続部と、前記直管状カバー部の他端部を筒状に覆い、外周面に周方向に沿って第一ガイド溝が形成された第一回動ガイド部と、を有する照明部と、
前記直管状蛍光灯の他方のソケットに接続され、有底筒状部の外周面に周方向に沿って第二ガイド溝が形成された第二回動ガイド部と、
前記照明部を介して供給される電源の接続部分となるコネクタを有する機能部と、
前記第一回動ガイド部の外周面に前記第一ガイド溝に沿って回動可能、かつ、所定の回動位置で固定可能に嵌め込まれるように一端部に筒状に設けられた第一回動可能嵌合部と、前記第二回動ガイド部の外周面に前記第二ガイド溝に沿って回動可能、かつ、所定の回動位置で固定可能に嵌め込まれるように他端部に筒状に設けられた第二回動可能嵌合部と、前記第一回動可能嵌合部と前記第二回動可能嵌合部の間の空間に加えて前記第一回動可能嵌合部および前記第二回動可能嵌合部の径方向外側に収容空間を拡大して前記機能部が収容される機能部収容部と、を有し、前記照明部に対して回動可能、かつ、着脱可能に設けられた筐体部と、
を有することを特徴とするＬＥＤ照明装置。
【請求項２】
前記筐体部は、
前記第一回動可能嵌合部に第一ネジ孔が形成されており、
前記第二回動可能嵌合部に第二ネジ孔が形成されており、
前記第一ガイド溝の底面にネジが当接されるように前記第一ネジ孔にネジ止めし、かつ、前記第二ガイド溝の底面にネジが当接されるように前記第二ネジ孔にネジ止めすることによって、所定の回動位置で固定される
ことを特徴とする請求項１に記載のＬＥＤ照明装置。
【請求項３】
無線通信を可能とする無線通信部
を有することを特徴とする請求項１または２に記載のＬＥＤ照明装置。
【請求項４】
前記機能部は、
制御回路が形成された回路基板を有し、
前記回路基板は、
前記第一回動ガイド部が覆う前記直管状カバー部の端部内方に挿入可能な部分である直管状カバー端部挿入部
を有することを特徴とする請求項１、２、または３に記載のＬＥＤ照明装置。
【請求項５】
前記機能部は、
メモリカードを記憶媒体とする記憶部としてのカードスロットを有し、該カードスロットが前記直管状カバー端部挿入部に配置されている
ことを特徴とする請求項４に記載のＬＥＤ照明装置。
【発明の詳細な説明】
【技術分野】
【０００１】
本発明は、直管状蛍光灯のソケットに取り付けられるＬＥＤ照明装置に関する。
【背景技術】
【０００２】
従来、直管型の蛍光管を有する蛍光灯、いわゆる直管状蛍光灯は、省電力化の流れから光源となるＬＥＤ（Ｌｉｇｈｔ  Ｅｍｉｔｔｉｎｇ  Ｄｉｏｄｅ）を光透過部分を含む直管状カバーの内部に設けたＬＥＤ照明装置に置き換えるようになってきている。
このようなＬＥＤ照明装置は、電源を交流電源から直流電源に変換するとともに電気配線を変更することによってＬＥＤへの電源供給を可能にしている。
しかも、ＬＥＤ照明装置は、直流電源から給電可能となったことにより、センサー、カメラ等の機能部を容易に組み込むことができるようになった。
【０００３】
例えば、特許文献１には、蛍光灯器具（直管状蛍光灯）のソケットに接続する照明部の一端側の接続部に、外側収容部と、外側収容部の内側において照明部の周方向に回動可能に設けられ、内部に機能部としての撮像部あるいは検出部が設けられた内側収容部と、を有するＬＥＤ照明が記載されている。
この特許文献１に記載のＬＥＤ照明は、内側収容部を外側収容部内で回動させることによって、撮像部による撮影方向、あるいは、検出部による検出位置を変化させるようにしている。
また、特許文献１に記載のＬＥＤ照明は、照明部に接続した外側収容部に対して内側収容部を容易に着脱することができるようになっているので、結果的に、機能部を内部に収容した内側収容部を照明部に容易に着脱することができる構造になっている。
【先行技術文献】
【特許文献】
【０００４】
【特許文献１】特開２０１４−１１０１８１号公報
【発明の概要】
【発明が解決しようとする課題】
【０００５】
しかしながら、特許文献１に記載のＬＥＤ照明は、外側収容部、および、内側収容部を有する２重の収容構造となっているため、機能部を収容するための収容空間を形成する内側収容部が外側収容部の収容空間の大きさに比して小さく制約され、収容空間を大きく確保することが難しくなり、結果的に、収容できる機能部も限定される問題がある。
この問題を解消するために、特許文献１に記載されたＬＥＤ照明は、外側収容部を大きく設定して内側収容部の収容空間を大きくすることができるが、内側収容部の外側を外側収容部が囲う２重の収容構造であるため、確保可能な収容空間に対して装置寸法が過大になってしまう問題がある。
【０００６】
本発明は、上記に鑑みてなされたものであって、照明部に対して回動可能な筐体部を照明部に容易に着脱することができ、かつ、筐体部の機能部を収容するための収容空間を確保し易くすることができるＬＥＤ照明装置を提供することを目的とする。
【課題を解決するための手段】
【０００７】
上述した課題を解決し、目的を達成するために、本発明に係るＬＥＤ照明装置は、ＬＥＤが内部に配置され、前記ＬＥＤの光を外部に出射する光透過性の部分を含む直管状カバー部と、直管状蛍光灯の一方のソケットから電源供給可能に接続されるように前記直管状カバー部の一端部に設けられた電源供給接続部と、前記直管状カバー部の他端部を筒状に覆い、外周面に周方向に沿って第一ガイド溝が形成された第一回動ガイド部と、を有する照明部と、前記直管状蛍光灯の他方のソケットに接続され、有底筒状部の外周面に周方向に沿って第二ガイド溝が形成された第二回動ガイド部と、前記照明部を介して供給される電源の接続部分となるコネクタを有する機能部と、前記第一回動ガイド部の外周面に前記第一ガイド溝に沿って回動可能、かつ、所定の回動位置で固定可能に嵌め込まれるように一端部に筒状に設けられた第一回動可能嵌合部と、前記第二回動ガイド部の外周面に前記第二ガイド溝に沿って回動可能、かつ、所定の回動位置で固定可能に嵌め込まれるように他端部に筒状に設けられた第二回動可能嵌合部と、前記第一回動可能嵌合部と前記第二回動可能嵌合部の間の空間に加えて前記第一回動可能嵌合部および前記第二回動可能嵌合部の径方向外側に収容空間を拡大して前記機能部が収容される機能部収容部と、を有し、前記照明部に対して回動可能、かつ、着脱可能に設けられた筐体部と、を有することを特徴とする。
【０００８】
また、本発明に係るＬＥＤ照明装置は、上記の発明において、前記筐体部が、前記第一回動可能嵌合部に第一ネジ孔が形成されており、前記第二回動可能嵌合部に第二ネジ孔が形成されており、前記第一ガイド溝の底面にネジが当接されるように前記第一ネジ孔にネジ止めし、かつ、前記第二ガイド溝の底面にネジが当接されるように前記第二ネジ孔にネジ止めすることによって、所定の回動位置で固定されることを特徴とする。
【０００９】
また、本発明に係るＬＥＤ照明装置は、上記の発明において、無線通信を可能とする無線通信部を有することを特徴とする。
【００１０】
また、本発明に係るＬＥＤ照明装置は、上記の発明において、前記機能部が、制御回路が形成された回路基板を有し、前記回路基板が、前記第一回動ガイド部が覆う前記直管状カバー部の端部内方に挿入可能な部分である直管状カバー端部挿入部を有することを特徴とする。
【００１１】
また、本発明に係るＬＥＤ照明装置は、上記の発明において、前記機能部が、メモリカードを記憶媒体とする記憶部としてのカードスロットを有し、該カードスロットが、前記直管状カバー端部挿入部に配置されていることを特徴とする。
【発明の効果】
【００１２】
本発明に係るＬＥＤ照明装置は、前記機能部を収容した前記筐体部が、前記照明部の前記直管状カバー部の前記第一回動ガイド部に一端部の前記第一回動可能嵌合部を嵌め込み、他端部の前記第二回動可能嵌合部を前記第二回動ガイド部に嵌め込むことによって、前記第一、二ガイド溝に沿って回動可能、かつ、所定の回動位置で固定可能になっているので、前記照明部に対して回動可能、かつ、着脱可能になっている。
また、本発明に係るＬＥＤ照明装置は、前記第一回動可能嵌合部と前記第二回動可能嵌合部の間の空間に加えて前記第一回動可能嵌合部および前記第二回動可能嵌合部の径方向外側に拡大された収容空間を有する前記機能部収容部に前記機能部を収容することができる。
したがって、本発明に係るＬＥＤ照明装置は、照明部に対して回動可能な筐体部を照明部に容易に着脱することができ、かつ、筐体部の機能部を収容するための収容空間を確保し易くすることができる。
【図面の簡単な説明】
【００１３】
【図１】図１は、本発明の実施例１に係るＬＥＤ照明装置の斜視図である。
【図２】図２は、（ａ）が、図１に示したＬＥＤ照明装置を照明部と筐体部と第二回動ガイド部とに分離した状態を示した分解斜視図であり、（ｂ）が、照明部の内部構成を説明するための図である。
【図３】図３は、ＬＥＤ照明装置の筐体部内の機能部を含めた内部構造を説明するための図である。
【図４】図４は、照明部の斜視図である。
【図５】図５は、（ａ）が、筐体部を一端側から視た図であり、（ｂ）が、筐体部の開口部分を塞ぐ蓋の斜視図である。
【図６】図６は、２分割される筐体部の分割された一方の筐体部の斜視図である。
【図７】図７は、（ａ）が、筐体部に取り付けられるヒートシンクを筐体部に固定するためのネジとともに示した斜視図であり、（ｂ）が、ヒートシンクを延在方向の一端面側から視た図である。
【図８】図８は、各種異なる機能を有する機能部を収容した各種の筐体部を照明部に着脱することができることを説明するための図である。
【図９】図９は、変形例のＬＥＤ照明装置を照明部と筐体部と第二回動ガイド部とに分離した状態を示した分解斜視図である。
【図１０】図１０は、本発明の実施例２に係るＬＥＤ照明装置の断面図である。
【図１１】図１１は、図１０に示したＬＥＤ照明装置の筐体部を２分割した状態を示した図である。
【図１２】図１２は、筐体部を一端側から視た図であり、内部に収容される機能部を点線で示した図である。
【図１３】図１３は、（ａ）が、２分割される筐体部のうち、第一回動可能嵌合部と第二回動可能嵌合部の径方向外側に収容空間を形成する側の筐体部を一端側から視た図であり、（ｂ）が、（ａ）に示した筐体部の開口を塞ぐ蓋の正面図である。
【発明を実施するための形態】
【００１４】
以下、図面を参照して、本発明に係るＬＥＤ照明装置の好適な実施例を詳細に説明する。
【実施例１】
【００１５】
図１は、本発明の実施例１に係るＬＥＤ照明装置１の斜視図である。図２は、（ａ）が、図１に示したＬＥＤ照明装置１を照明部１０と筐体部４０と第二回動ガイド部２０とに分離した状態を示した分解斜視図であり、（ｂ）が、照明部１０の内部構成を説明するための図である。図３は、ＬＥＤ照明装置１の筐体部４０内の機能部３０を含めた内部構造を説明するための図である。図４は、照明部１０の斜視図である。図５は、（ａ）が、筐体部４０を一端側から視た図であり、（ｂ）が、筐体部４０の開口部分を塞ぐ蓋４０ａの正面図である。図６は、２分割される筐体部４０の分割された一方の筐体部４０Ａの斜視図である。図７は、（ａ）が、筐体部４０に取り付けられるヒートシンク４５を筐体部に固定するためのネジＳとともに示した斜視図であり、（ｂ）が、ヒートシンク４５を延在方向の一端面側から視た図である。図８は、各種異なる機能を有する機能部を収容した各種の筐体部４０、４０Ｖ１、４０Ｖ２、４０Ｖ３を照明部に着脱することができることを説明するための図である。
本発明の実施例１に係るＬＥＤ照明装置１は、例えば、電車の天井付近に設置された既存の直管型の蛍光管を有する蛍光灯、いわゆる直管状蛍光灯の２つのソケットに取り付けられるものである。
【００１６】
ＬＥＤ照明装置１は、ＬＥＤ１１ａの光を出射する照明部分であり、第一回動ガイド部１４が設けられた照明部１０と、第二回動ガイド部２０と、カメラ機能を有する機能部３０と、機能部３０が収容され、照明部１０に対して回動可能、かつ、着脱可能に設けられた筐体部４０と、を有する。
【００１７】
まず、照明部１０について説明する。
照明部１０は、ＬＥＤ１１ａが内部に配置され、ＬＥＤ１１ａの光を外部に出射する光透過性の部分を含む直管状カバー部１２と、不図示の直管状蛍光灯の一方のソケットから電源供給可能に接続されるように直管状カバー部１２の一端部に設けられた電源供給接続部１３と、直管状カバー部１２の他端部を筒状に覆い、外周面に周方向に沿って第一ガイド溝１４ａが形成された第一回動ガイド部１４と、を有する。
【００１８】
直管状カバー部１２は、直管状のガラス部材の外周面をＰＥＴ（ｐｏｌｙｅｔｈｙｌｅｎｅ  ｔｅｒｅｐｈｔｈａｌａｔｅ）等の飛散防止フィルムで覆った光透過性の直管状部分である。
なお、直管状カバー部１２は、ガラス部材に限らず、ＬＥＤ１１ａの光を外部に出射する光透過性の部分を含む部材であれば、ポリカーボネート等のその他の材質からなるものであっても構わない。
【００１９】
この直管状カバー部１２は、内部に複数のＬＥＤ１１ａが実装されたＬＥＤ回路基板１１と、直管状蛍光灯の一方のソケットから供給された交流電圧（例えば、ＡＣ１００Ｖ〜２００Ｖ）を、所定の直流電圧に変換する回路がボックス内に形成された電源制御回路部１５が収容されている。
【００２０】
なお、この実施例１では、ＬＥＤ回路基板１１に無線通信部としてのチップアンテナ１６が実装されており、チップアンテナ１６に接続された電線Ｗの端末部に設けられたコネクタＣが電線Ｗを介して直管状カバー部１２の外に引き出し可能になっている。
【００２１】
電源制御回路部１５は、電源供給接続部１３およびＬＥＤ回路基板１１に電気的に接続され、さらに、コネクタＣを介して機能部３０に電気的に接続可能になっている。
この電源制御回路部１５は、電源供給接続部１３から供給された電源を、複数のＬＥＤ１１ａへの所定の直流電圧、および、機能部３０への所定の直流電圧（例えば、ＤＣ５Ｖ）に変換して供給するものである。
なお、電源制御回路部１５は、機能部３０のコネクタＣに接続されるコネクタＣが電線Ｗを介して直管状カバー部１２の外に引き出し可能になっている。
【００２２】
電源供給接続部１３は、直管状蛍光灯の一方のソケットに接続されるように、口金に対応した構成になっている。この電源供給接続部１３は、電気接続部分となるピン１３ａを有し、ピン１３ａが直管状蛍光灯のソケットに装着可能な形状になっている。
【００２３】
第一回動ガイド部１４は、アルミニウム製の筒状部材であり、外周面に周方向に沿って形成された複数の第一ガイド溝１４ａが形成されている。
各第一ガイド溝１４ａは、固定用のネジＳの外径に比して僅かに大きい幅に調整されている。
【００２４】
複数の第一ガイド溝１４ａは、筐体部４０の回動調整範囲に対応して周方向に沿って所定の長さで形成された溝であり、図では２カ所しか視えないが、４カ所に形成されている。
【００２５】
４カ所の第一ガイド溝１４ａは、より具体的には、両端部を揃えるように並んで形成された２つの第一ガイド溝１４ａを１組として、２組の第一ガイド溝１４ａが、軸に直交する線に対して略線対称の位置にそれぞれ設けられている。
なお、この実施例１では、第一ガイド溝１４ａは、４カ所に形成されるものを例示したが、これに限らず、少なくとも１カ所に形成されていればよい。
【００２６】
次に、第二回動ガイド部２０について説明する。
第二回動ガイド部２０は、直管状蛍光灯の他方のソケットに接続され、外周面に周方向に第二ガイド溝２１ａが形成されたものである。
この第二回動ガイド部２０は、アルミニウム製の有底の筒状部材である有底筒状部２１と、ピン２２とを有し、いわゆる口金の形状になっている。
【００２７】
有底筒状部２１は、外周面に周方向に沿って複数の第二ガイド溝２１ａが形成されている。
各第二ガイド溝２１ａは、固定用のネジＳの外径に比して僅かに大きい幅に調整されている。
【００２８】
複数の第二ガイド溝２１ａは、筐体部４０の回動調整範囲に対応して周方向に沿って所定の長さで形成された溝であり、図では２カ所しか視えないが、第一ガイド溝１４ａに対応して、４カ所に形成されている。
【００２９】
４カ所の第二ガイド溝２１ａは、より具体的には、第一ガイド溝１４ａと同様に、両端部を揃えるように並んで形成された２つの第二ガイド溝２１ａを１組として、２組の第二ガイド溝２１ａが、軸に直交する線に対して略線対称の位置にそれぞれ設けられている。
なお、この実施例１では、第二ガイド溝２１ａは、４カ所に形成されるものを例示したが、これに限らず、少なくとも１カ所に形成されていればよい。
【００３０】
ピン２２は、直管状蛍光灯のソケットに装着可能な形状になっている。
【００３１】
次に、機能部３０について説明する。
機能部３０は、照明部１０を介して供給される電源の接続部分となるコネクタＣを有し、図３に示すように、カメラ機能、およびそれに関連した機能を実行させる制御回路が形成された第一回路基板３１および第二回路基板３２を有する。
【００３２】
第一回路基板３１は、照明部１０を介して供給される電源の接続部分となるコネクタＣを有し、マイクロＳＤ等のメモリカード（不図示）を記憶媒体とする記憶部としてのカードスロット３３、無線通信部としての通信モジュール３４、および、複数のパイロットランプ３５が実装されている。
【００３３】
カードスロット３３は、メモリカードを記憶媒体として、カメラによって撮像された動画、あるいは、静止画を記憶するものである。
このカードスロット３３は、第一回路基板３１の照明部１０側の端部に配置されている。
なお、この実施例１のＬＥＤ照明装置１は、通常時には、撮像情報をメモリカードに記憶し、必要時には、無線通信経由で直接的に撮像情報のライブデータを抽出することができるようになっている。
【００３４】
通信モジュール３４は、ＬＴＥ（登録商標）を通信方式として用いたＬＴＥモジュール、および、ＷｉＦｉ（登録商標）を通信方式として用いたＷｉＦｉモジュールを有する。
この実施例１のＬＥＤ照明装置１は、ＬＴＥおよびＷｉＦｉの両通信の機能制限および切替機能を備えている。
なお、この実施例１のＬＥＤ照明装置１は、通信モジュール３４が、ＬＴＥモジュール、および、ＷｉＦｉモジュールを有するものを例示したが、これに限らず、無線通信を可能にするものであればその他の通信モジュールを用いても構わない。
【００３５】
この通信モジュール３４は、第一回路基板３１の照明部１０側の端部に配置されている。
通信モジュール３４は、不図示の端子部を有し、ＬＥＤ回路基板１１のチップアンテナ１６から引き出されたコネクタＣが不図示の端子部に脱着可能に接続されるようになっている。
このような通信モジュール３４は、照明部１０側に配置されたチップアンテナ１６によって無線信号の送受信が行えるようになっている。
すなわち、通信モジュール３４は、アルミニウム製の筐体部４０内に配置されているものの、アンテナ部分となるチップアンテナ１６が照明部１０側に配置されることによって通信を阻害されることなく安定した通信が行えるようになっている。
【００３６】
複数のパイロットランプ３５は、機能部３０の各種実行状態を筐体部４０の外部に表示するものである。
この実施例１では、第一回路基板３１に、電源、通信、録画の実行状態を表示する３つのパイロットランプ３５が実装されている。
【００３７】
第二回路基板３２は、第一回路基板３１に電気的に接続され、カメラのレンズ３６、および、不図示のＣＭＯＳイメージセンサ等が配置されている。
【００３８】
次に、筐体部４０について説明する。
筐体部４０は、第一回動ガイド部１４の外周面に第一ガイド溝１４ａに沿って回動可能、かつ、所定の回動位置で固定可能に嵌め込まれるように一端部に筒状に設けられた第一回動可能嵌合部４１と、第二回動ガイド部２０の外周面に第二ガイド溝２１ａに沿って回動可能、かつ、所定の回動位置で固定可能に嵌め込まれるように他端部に筒状に設けられた第二回動可能嵌合部４２と、機能部３０が収容される機能部収容部４３と、ヒートシンク４５が装着される部分となるヒートシンク装着部４４と、を有する。
この筐体部４０は、照明部１０に対して回動可能、かつ、着脱可能に設けられている。
【００３９】
なお、この実施例１では、筐体部４０は、アルミニウム製であり、図５（ａ）および図６に示すように、縦割りで２分割されるようになっている。
また、筐体部４０は、両端部が照明部１０および第二回動ガイド部２０に装着された状態で開口されたままとなる開口部に、アルミニウム製の蓋４０ａ（図５（ｂ）参照）が取り付けられるようになっている。
【００４０】
第一回動可能嵌合部４１は、図５（ａ）および図６に示すように、第一回動ガイド部１４の外周面に沿った円筒状をなしている。
この第一回動可能嵌合部４１は、第一回動ガイド部１４が嵌め込まれる領域のみ筒状形状を形成するようなっている。
また、第一回動可能嵌合部４１は、複数の第一ガイド溝１４ａの底面にネジＳを当接させてネジ止め固定するための複数の第一ネジ孔４１ａが形成されている。
この実施例１では、第一回動可能嵌合部４１は、４つの第一ガイド溝１４ａに対応して４つの第一ネジ孔４１ａが形成されている。
【００４１】
また、第一回動可能嵌合部４１は、２分割された筐体部４０を連結固定するためのネジＳが挿通される第一連結固定用ネジ孔４１ｂが形成されている。
【００４２】
第二回動可能嵌合部４２は、図６に示すように、第二回動ガイド部２０の外周面に沿った円筒状をなしている。
この第二回動可能嵌合部４２は、第二回動ガイド部２０が嵌め込まれる領域のみ筒状形状を形成するようなっている。
また、第二回動可能嵌合部４２は、複数の第二ガイド溝２１ａの底面にネジＳが当接させてネジ止め固定するための複数の第二ネジ孔４２ａが形成されている。
この実施例１では、第二回動可能嵌合部４２は、４つの第二ガイド溝２１ａに対応して４つの第二ネジ孔４２ａが形成されている。
【００４３】
また、第二回動可能嵌合部４２は、２分割された筐体部４０を連結固定するためのネジＳが挿通される第二連結固定用ネジ孔４２ｂが形成されている。
【００４４】
機能部収容部４３は、第一回動可能嵌合部４１と第二回動可能嵌合部４２の間の空間に加えて第一回動可能嵌合部４１および第二回動可能嵌合部４２の径方向外側に収容空間を拡大して機能部３０が収容されるようになっている。
より具体的には、機能部収容部４３は、図６に示すように、第一回動可能嵌合部４１と第二回動可能嵌合部４２の径方向外側に第一回動可能嵌合部４１と第二回動可能嵌合部４２の間の空間に連続した空間を拡げるように第一、第二回動可能嵌合部４１、４２の円筒状部分を形成する壁４１ｃ、４２ｃに対して、図６中下方に連続した壁が形成されることによって拡大した収容空間が形成されているようになっている。
【００４５】
このような機能部収容部４３には、図３に示すように、第一回路基板３１および第二回路基板３２が保持収容されるようになっている。
第一回路基板３１は、第一、第二回動可能嵌合部４１、４２の円筒状部分を形成する壁４１ｃ、４２ｃの下方領域まで基板端部が延在された状態で機能部収容部４３内に収容されている。
また、第一回動可能嵌合部４１と第二回動可能嵌合部４２の間は、照明部１０との電気的な接続部分となるコネクタＣが接続、あるいは、接続解除がし易い空間が確保されるようになっている。
また、第一回動可能嵌合部４１と第二回動可能嵌合部４２の間は、カードスロット３３へのメモリカードの抜き差しがし易い空間が確保されるようになっている。
【００４６】
ヒートシンク装着部４４は、放熱機能をなすヒートシンク４５を装着する部分である。
なお、この実施例１では、ヒートシンク装着部４４は、筐体部４０の第一回動可能嵌合部４１が設けられた一端側から第二回動可能嵌合部４２が設けられた他端側まで延びた一対のスライドガイド溝４４ａを有する。
このヒートシンク装着部４４は、一対のスライドガイド溝４４ａによってヒートシンク４５をスライド可能にガイドするようになっている。
【００４７】
ヒートシンク４５は、伝熱特性の高いアルミニウム製であり、ヒートシンク装着部４４への装着完了状態で、筐体部４０の第一回動可能嵌合部４１が設けられた一端側から、第二回動可能嵌合部４２が設けられた他端側まで直線状に延びた部材である。
このヒートシンク４５は、図７に示すように、複数のフィン４６ａが並設されたフィン部４６と、一対のスライドガイド溝４４ａによってガイドされる部分となる被ガイド部４７と、を有する。
【００４８】
フィン部４６は、筐体部４０の第一回動可能嵌合部４１が設けられた一端側から、第二回動可能嵌合部４２が設けられた他端側まで直線状に延びた複数のフィン４６ａが並んで立設されている部分である。
【００４９】
被ガイド部４７は、複数のフィン４６ａの基端部を連結する壁が並び方向で両側に位置するフィン４６ａから延在方向に沿って片状に突出された部分であり、ヒートシンク装着部４４の一対のスライドガイド溝４４ａに嵌めこまれることによって、一対のスライドガイド溝４４ａにスライド可能に支持される部分である。
【００５０】
このヒートシンク４５は、筐体部４０のヒートシンク装着部４４に装着されることによって、機能部３０の熱を筐体部４０の外部に放熱するものである。
【００５１】
なお、ヒートシンク４５は、延在方向に所定の間隔を空けた２カ所にネジ挿通孔４８が形成されており、この２つのネジ挿通孔４８にネジＳを挿通しつつ、ヒートシンク装着部４４に形成された不図示の２カ所のネジ孔にネジ止め固定されることによって、ヒートシンク装着部４４に固定される。
なお、ヒートシンク４５を固定するためのネジＳは、２分割された筐体部４０を連結するための固定部材としても機能している。
【００５２】
このようなＬＥＤ照明装置１は、既存の直管状蛍光灯のソケットに対して取付け可能であり、電源供給接続部１３が接続されるソケットから供給される電源を利用して複数のＬＥＤ１１ａおよび機能部３０に電源が供給されるようになっている。
【００５３】
また、ＬＥＤ照明装置１は、４つの第一ネジ孔４１ａにネジ止め固定された４つのネジＳ、および４つの第二ネジ孔４２ａにネジ止め固定された４つのネジＳを緩めることによって筐体部４０を第一回動ガイド部１４および第二回動ガイド部２０の外周面に沿って回動させることができるようになっている。
このため、ＬＥＤ照明装置１は、筐体部４０を第一、第二ガイド溝１４ａ、２１ａの周方向の幅に対応した範囲で回動してネジ止め固定することよって、カメラの撮像位置を調整することができるようになっている。
【００５４】
また、ＬＥＤ照明装置１は、無線通信部としての通信モジュール３４およびチップアンテナ１６を有するので、機能部３０が取得した動画、あすいは、画像情報を外部に発信するとともに、外部から機能部３０への制御信号を受信することができるようになっている。
【００５５】
次に、機能部３０が収容された筐体部４０を照明部１０から離脱させる手順について説明する。
【００５６】
まず、作業者は、ＬＥＤ照明装置１を直管状蛍光灯のソケットから外し、４つの第一ネジ孔４１ａにネジ止め固定された４つのネジＳを緩める。
すると、筐体部４０の第一回動可能嵌合部４１と照明部１０の第一回動ガイド部１４とのネジ止めによる固定が解除される。
すなわち、４つの第一ネジ孔４１ａにネジ止め固定された４つのネジＳは、筐体部４０を照明部１０に対して所定の回動位置で固定する回動位置調整用のネジＳとして機能するとともに、筐体部４０を照明部１０に固定するためのネジＳとして機能している。
【００５７】
次に、作業者は、筐体部４０の第一回動可能嵌合部４１から照明部１０の第一回動ガイド部１４を引き抜いて、筐体部４０を照明部１０から外す。
なお、この状態では、照明部１０のチップアンテナ１６から引き出されたコネクタＣ、および、電源制御回路部１５に繋がる電線Ｗの端末部に設けられたコネクタＣが機能部３０側のそれぞれのコネクタＣあるいは不図示の端子部に接続された状態にある。
【００５８】
最後に、作業者は、照明部１０と機能部３０との接続を解除することによって、筐体部４０を照明部１０から離脱完了し、この作業を終了する。
この実施例１では、作業者は、照明部１０の電源制御回路部１５と機能部３０の第一回路基板３１とのコネクタ接続の解除、および、照明部１０のチップアンテナ１６と機能部３０の通信モジュール３４のコネクタ接続の解除を行う。
【００５９】
この照明部１０と機能部３０とを接続するコネクタＣの接続を解除する作業では、筐体部４０の機能部収容部４３のうち、コネクタＣが接続、あるいは、接続解除し易いように空間が確保された、第一回動可能嵌合部４１と第二回動可能嵌合部４２の間の空間を利用して容易に行うことができる。
なお、照明部１０から離脱完了した筐体部４０は、第二回動ガイド部２０には固定されたままの状態である。
【００６０】
次に、上述の作業によって照明部１０から離脱した筐体部４０を照明部１０に装着する手順について説明する。
【００６１】
まず、作業者は、照明部１０と機能部３０とをコネクタＣによって接続する。
この実施例１では、作業者は、照明部１０の電源制御回路部１５と機能部３０の第一回路基板３１とのコネクタによる接続、および、照明部１０のチップアンテナ１６と機能部３０の通信モジュール３４とのコネクタＣによる接続を行う。
この照明部１０と機能部３０とをコネクタＣによって接続する作業では、筐体部４０の機能部収容部４３のうち、コネクタＣが接続、あるいは、接続解除し易いように空間が確保された、第一回動可能嵌合部４１と第二回動可能嵌合部４２の間の空間を利用して容易に行うことができる。
【００６２】
次に、作業者は、筐体部４０の第一回動可能嵌合部４１に照明部１０の第一回動ガイド部１４を嵌め込む。
【００６３】
次に、作業者は、４つの第一ネジ孔４１ａに４つのネジＳをネジ止め固定することによって、照明部１０に筐体部４０を固定する。
このネジ止め固定作業では、作業者は、４つの第一ネジ孔４１ａのうち、少なくとも１つの第一ネジ孔４１ａが対応する第一ガイド溝１４ａに重なる位置にあることを確認した後、４つの第一ネジ孔４１ａに４つのネジＳをネジ止め固定する。
【００６４】
最後に、作業者は、ＬＥＤ照明装置を直管状蛍光灯のソケットに取り付け、この作業を終了する。
【００６５】
なお、この実施例１では、４つの第一ネジ孔４１ａに４つのネジＳをネジ止め固定することによって、照明部１０に筐体部４０を固定した後に、ＬＥＤ照明装置１を直管状蛍光灯のソケットに取り付ける手順を示したが、これに限らず、４つのネジＳが緩んだままの状態でＬＥＤ照明装置１を直管状蛍光灯のソケットに取り付け、照明部１０に対する筐体部４０の回動位置を調整した後に４つのネジＳをネジ止め固定するようにしてよい。
【００６６】
本発明の実施例１に係るＬＥＤ照明装置１は、機能部３０を収容した筐体部４０が、照明部１０の直管状カバー部１２の第一回動ガイド部１４に一端部の第一回動可能嵌合部４１を嵌め込み、他端部の第二回動可能嵌合部４２を第二回動ガイド部２０に嵌め込むことによって、第一、二ガイド溝１４ａ、２１ａに沿って回動可能、かつ、所定の回動位置で固定可能になっているので、照明部１０に対して回動可能、かつ、着脱可能になっている。
また、本発明に係るＬＥＤ照明装置１は、第一回動可能嵌合部４１と第二回動可能嵌合部４２の間の空間に加えて第一回動可能嵌合部４１および第二回動可能嵌合部４２の径方向外側に拡大された収容空間を有する機能部収容部４３に機能部３０を収容することができる。
したがって、本発明に係るＬＥＤ照明装置１は、照明部１０に対して回動可能な筐体部４０を照明部１０に容易に着脱することができ、かつ、筐体部４０の機能部３０を収容するための収容空間を確保し易くすることができる。
【００６７】
また、本発明の実施例１に係るＬＥＤ照明装置１は、筐体部４０が、第一回動可能嵌合部４１に第一ネジ孔４１ａが形成されており、第二回動可能嵌合部４２に第二ネジ孔４２ａが形成されており、第一ガイド溝１４ａの底面にネジＳが当接されるように第一ネジ孔４１ａにネジ止めし、かつ、第二ガイド溝２１ａの底面にネジＳが当接されるように第二ネジ孔４２ａにネジ止めすることによって、所定の回動位置で固定される。
このため、本発明の実施例１に係るＬＥＤ照明装置１は、照明部１０に対する回動位置を調整して筐体部４０を固定するためのネジ止め固定によって、筐体部４０を照明部１０に固定することができる。
【００６８】
また、本発明の実施例１に係るＬＥＤ照明装置１は、無線通信を可能とする無線通信部としてのチップアンテナ１６および通信モジュール３４を有するので、外部との情報の送受信を無線で行うことができる。
【００６９】
なお、本発明の実施例１に係るＬＥＤ照明装置１は、カメラ機能を有する機能部３０が筐体部４０に収容されるものを例示したが、筐体部４０に収容される機能部３０は、その他の機能のものであっても構わない。すなわち、図８に示すように、異なる機能部３０が収容された各種筐体部４０、４０Ｖ１、４０Ｖ２、４０Ｖ３を照明部１０に着脱するようにしてもよい。例えば、モーションセンサが組み込まれた動作検知機能をなす機能部が収容された筐体部４０Ａ、ガイガーカウンターが組み込まれた放射性物質の検知機能をなす機能部が収容された筐体部４０Ｂ、人工知能による解析機能を有する機能部が収容された筐体部４０Ｃ、あるいは、オゾンを発生する機能を有する機能部が収容された筐体部（不図示）を照明部１０に対して着脱するようにしてもよい。
（変形例）
【００７０】
次に、図９を用いて本発明の実施例１に係るＬＥＤ照明装置１の変形例について説明する。
図９は、変形例のＬＥＤ照明装置１Ｖを照明部１０と筐体部４０と第二回動ガイド部２０とに分離した状態を示した分解斜視図である。
【００７１】
変形例のＬＥＤ照明装置１Ｖは、ヒートシンク４９がヒートシンク装着部４４への装着完了状態で、筐体部４０の端部をこえて照明部１０側に延在している点で、実施例のＬＥＤ照明装置１と異なる。
なお、その他の構成は実施例１と同様であり、実施例１と同一構成部分には同一符号を付し、その説明を省略する。
【００７２】
この変形例のＬＥＤ照明装置１Ｖは、ヒートシンク４９が、ヒートシンク装着部４４への装着完了状態で、筐体部４０の第一回動可能嵌合部４１が設けられた一端側から第二回動可能嵌合部４２が設けられた他端側までの範囲に加えて、筐体部４０の第一回動可能嵌合部４１側の端部をこえて延在している。
このため、ヒートシンク４９による放熱部分を筐体部４０の外方領域に拡げることができ、筐体部４０内の機能部３０の熱を筐体部４０の外部により効果的に放熱することができる。
また、ヒートシンク４９の筐体部４０の端部をこえて照明部１０側に延在した部分が、筐体部４０の端部周辺、すなわち、第一回動可能嵌合部４１の周辺に配置されるので、筐体部４０の回動部分周辺を支持する支持部として機能するようになっている。
【００７３】
変形例のＬＥＤ照明装置１Ｖは、実施例１のＬＥＤ照明装置１と同様の効果を奏するとともに、ヒートシンク４９より筐体部４０の放熱効果をさらに高めることができ、しかも、ヒートシンク４９によって、筐体部４０の回動部分周辺を安定的に支持することができる。
【実施例２】
【００７４】
次に、図１０−図１３を用いて本発明の実施例２に係るＬＥＤ照明装置について説明する。
図１０は、本発明の実施例２に係るＬＥＤ照明装置２の断面図である。図１１は、図１０に示したＬＥＤ照明装置２の筐体部６０を２分割した状態を示した図である。図１２は、筐体部６０を一端側から視た図であり、内部に収容される機能部５０を点線で示した図である。図１３は、（ａ）が２分割される筐体部６０Ａ、６０Ｂのうち、第一回動可能嵌合部６１と第二回動可能嵌合部６２の径方向外側に収容空間を形成する側の筐体部６０Ｂを一端側から視た図であり、（ｂ）が（ａ）に示した筐体部６０Ｂの開口を塞ぐ蓋６０ａの正面図である。
【００７５】
本発明の実施例２に係るＬＥＤ照明装置２は、筐体部６０の分割構造、および、機能部５０の機能部収容部６３内での配置構造が異なっている点で、実施例１のＬＥＤ照明装置１と異なる。
なお、その他の構成は実施例１とほぼ同様であり、実施例１とほぼ同一構成部分には同一符号を付し、その説明を省略する。
なお、照明部１０については実施例１と同様の構成であるため、筐体部６０が装着される一端側となる第一回動ガイド部１４周辺部分のみ示している。
このため、照明部１０の図示されていない部分であり、実施例１と同様の符号を用いている部分については、実施例１で示した図を参照することとする。
【００７６】
本発明の実施例２に係るＬＥＤ照明装置２は、実施例１のＬＥＤ照明装置１と同様に、例えば、電車の天井付近に設置された既存の直管型の蛍光管を有する蛍光灯、いわゆる直管状蛍光灯の２つのソケットに取り付けられるものである。
ＬＥＤ照明装置２は、ＬＥＤ１１ａの光を出射する部分となり、第一回動ガイド部１４が設けられた照明部１０と、第二回動ガイド部２０と、カメラ機能を有する機能部５０と、機能部５０が収容され、照明部１０に対して回動可能、かつ、着脱可能に設けられた筐体部６０と、を有する。
【００７７】
まず、照明部１０について説明する。
照明部１０は、ＬＥＤ１１ａが内部に配置され、ＬＥＤ１１ａの光を外部に出射する光透過性の部分を含む直管状カバー部１２と、不図示の直管状蛍光灯の一方のソケットから電源供給可能に接続されるように直管状カバー部１２の一端部に設けられた電源供給接続部１３と、直管状カバー部１２の他端部を筒状に覆い、外周面に周方向に沿って第一ガイド溝１４ａが形成された第一回動ガイド部１４と、を有する。
【００７８】
直管状カバー部１２は、直管状のガラス部材の外周面をＰＥＴ（ｐｏｌｙｅｔｈｙｌｅｎｅ  ｔｅｒｅｐｈｔｈａｌａｔｅ）等の飛散防止フィルムで覆った光透過性の直管状部分である。
この直管状カバー部１２は、内部に複数のＬＥＤ１１ａが実装されたＬＥＤ回路基板１１と、直管状蛍光灯の一方のソケットから供給された交流電圧（例えば、ＡＣ１００Ｖ〜２００Ｖ）を、所定の直流電圧に変換する回路がボックス内に形成された電源制御回路部１５が収容されている。
【００７９】
なお、この実施例２では、ＬＥＤ回路基板１１にチップアンテナ１６が実装されており、チップアンテナ１６に接続された電線Ｗの端末部に設けられたコネクタＣが電線Ｗを介して直管状カバー部１２の外に引き出し可能になっている。
【００８０】
電源制御回路部１５は、電源供給接続部１３、ＬＥＤ回路基板１１、および、機能部５０に接続されるコネクタＣに電気的に接続されており、電源供給接続部１３から供給された電源を、複数のＬＥＤ１１ａへの所定の直流電圧、および、機能部５０への所定の直流電圧（例えば、ＤＣ５Ｖ）に変換して供給するものである。
なお、電源制御回路部１５は、機能部５０のコネクタＣに接続されるコネクタＣが電線を介して直管状カバー部１２の外に引き出し可能になっている。
【００８１】
電源供給接続部１３は、直管状蛍光灯の一方のソケットに接続されるように、いわゆる口金になっている。この電源供給接続部１３は、電気接続部分となるピン１３ａを有し、ピン１３ａが直管状蛍光灯のソケットに装着可能な形状になっている。
【００８２】
第一回動ガイド部１４は、アルミニウム製の筒状部材であり、外周面に周方向に沿って形成された複数の第一ガイド溝１４ａが形成されている。
各第一ガイド溝１４ａは、固定用のネジＳの外径に比して僅かに大きい幅に調整されている。
【００８３】
複数の第一ガイド溝１４ａは、筐体部６０の回動調整範囲に対応して周方向に沿って所定の長さで形成された溝であり、図では２カ所しか視えないが、４カ所に形成されている。
【００８４】
４カ所の第一ガイド溝１４ａは、より具体的には、両端部を揃えるように並んで形成された２つの第一ガイド溝１４ａを１組として、２組の第一ガイド溝１４ａが、軸に直交する線に対して略線対称の位置にそれぞれ設けられている。
なお、この実施例２では、第一ガイド溝１４ａは、４カ所に形成されるものを例示したが、これに限らず、少なくとも１カ所に形成されていればよい。
【００８５】
次に、第二回動ガイド部２０について説明する。
第二回動ガイド部２０は、直管状蛍光灯の他方のソケットに接続され、外周面に周方向に第二ガイド溝２１ａが形成されたものである。
この第二回動ガイド部２０は、アルミニウム製の有底の筒状部材である有底筒状部２１と、ピン２２とを有し、いわゆる口金の形状になっている。
【００８６】
有底筒状部２１は、外周面に周方向に沿って複数の第二ガイド溝２１ａが形成されている。
各第二ガイド溝２１ａは、固定用のネジＳの外径に比して僅かに大きい幅に調整されている。
【００８７】
複数の第二ガイド溝２１ａは、筐体部６０の回動調整範囲に対応して周方向に沿って所定の長さで形成された溝であり、図では２カ所しか視えないが、第一ガイド溝１４ａに対応して、４カ所に形成されている。
【００８８】
４カ所の第二ガイド溝２１ａは、より具体的には、第一ガイド溝１４ａと同様に、両端部を揃えるように並んで形成された２つの第二ガイド溝２１ａを１組として、２組の第二ガイド溝２１ａが、軸に直交する線に対して略線対称の位置にそれぞれ設けられている。
なお、この実施例２では、第二ガイド溝２１ａは、４カ所に形成されるものを例示したが、これに限らず、少なくとも１カ所に形成されていればよい。
【００８９】
ピン２２は、直管状蛍光灯のソケットに装着可能な形状になっている。
【００９０】
次に、機能部５０について説明する。
機能部５０は、図１０−図１２に示すように、カメラ機能およびそれに関連した機能を実行させる制御回路が形成された第一回路基板５１および第二回路基板５２を有する。
【００９１】
第一回路基板５１は、図１１に示すように、メモリカード（不図示）を記憶媒体とする記憶部としてのカードスロット３３、通信モジュール３４、および、不図示の複数のパイロットランプが実装されている。
【００９２】
第二回路基板５２は、第一回路基板５１に電気的に接続され、カメラのレンズ３６、および、不図示のＣＭＯＳイメージセンサ等が配置されている。
【００９３】
次に、筐体部６０について説明する。
筐体部６０は、第一回動ガイド部１４の外周面に第一ガイド溝１４ａに沿って回動可能、かつ、所定の回動位置で固定可能に嵌め込まれるように一端部に筒状に設けられた第一回動可能嵌合部６１と、第二回動ガイド部２０の外周面に第二ガイド溝２１ａに沿って回動可能、かつ、所定の回動位置で固定可能に嵌め込まれるように他端部に筒状に設けられた第二回動可能嵌合部６２と、機能部５０が収容される機能部収容部６３と、を有する。
なお、この実施例２のＬＥＤ照明装置２の筐体部６０は、実施例１のＬＥＤ照明装置１のヒートシンク装着部４４を有しないものを例示したが、実施例１と同様に、ヒートシンク装着部４４を有し、ヒートシンク４５、４９を装着するようにしても構わない。
この筐体部６０は、照明部１０対して回動可能、かつ、着脱可能に設けられている。
【００９４】
なお、この実施例２では、筐体部６０は、アルミニウム製であり、図１１に示すように、第一回動可能嵌合部６１と第二回動可能嵌合部６２の間の機能部５０の収容空間を主として形成する第一筐体部６０Ａと、第一回動可能嵌合部６１と第二回動可能嵌合部６２の径方向外側に機能部５０の収容空間を拡大して形成する第二筐体部６０Ｂとで２分割されるようになっている。
また、筐体部６０は、両端部が照明部１０および第二回動ガイド部２０に装着された状態で開口されたままとなる開口部に、アルミニウム製の蓋６０ａ（図１３（ｂ）参照）が取り付けられるようになっている。
【００９５】
第一回動可能嵌合部６１は、図１０−図１２に示すように、第一回動ガイド部１４の外周面に沿った円筒状をなす。
この第一回動可能嵌合部６１は、第一回動ガイド部１４が嵌め込まれる領域のみ筒状形状を形成するようなっている。
また、第一回動可能嵌合部６１は、複数の第一ガイド溝１４ａの底面にネジＳが当接されるようにネジ止め固定するための複数の第一ネジ孔６１ａが形成されている。
この実施例２では、第一回動可能嵌合部６１は、４つの第一ガイド溝１４ａに対応して４つの第一ネジ孔６１ａが形成されている。
また、第一回動可能嵌合部６１は、第二筐体部６０Ｂを連結固定するためのネジが挿通される連結固定用ネジ孔６１ｂが形成されている。
【００９６】
第二回動可能嵌合部６２は、図１０および図１１に示すように、第二回動ガイド部２０の外周面に沿った円筒状をなす。
この第二回動可能嵌合部６２は、第二回動ガイド部２０が嵌め込まれる領域のみ筒状形状を形成するようなっている。
また、第二回動可能嵌合部６２は、複数の第二ガイド溝２１ａの底面にネジＳが当接されるようにネジ止め固定するための複数の第二ネジ孔６２ａが形成されている。
この実施例２では、第二回動可能嵌合部６２は、４つの第二ガイド溝２１ａに対応して４つの第二ネジ孔６２ａが形成されている。
【００９７】
また、第二回動可能嵌合部６２は、第二筐体部６０Ｂを連結固定するためのネジＳが挿通される連結固定用ネジ孔６２ｂが形成されている。
【００９８】
機能部収容部６３は、第一回動可能嵌合部６１と第二回動可能嵌合部６２の間の空間に加えて第一回動可能嵌合部６１および第二回動可能嵌合部６２の径方向外側に収容空間を拡大して機能部５０が収容されるようになっている。
より具体的には、機能部収容部６３は、図１０に示すように、第一回動可能嵌合部６１と第二回動可能嵌合部６２の径方向外側に第一回動可能嵌合部６１と第二回動可能嵌合部６２の間の空間に連続した空間を拡げるように第一、第二回動可能嵌合部６１、６２の円筒状部分を形成する壁６１ｃ、６２ｃに対して、図１０中下方に第二筐体部６０Ｂの壁が形成されることによって拡大した収容空間が形成されているようになっている。
【００９９】
このような機能部収容部には、図１０に示すように、第一回路基板５１および第二回路基板５２が保持収容されるようになっている。
【０１００】
第一回路基板５１は、第一回動可能嵌合部６１と第二回動可能嵌合部６２の間の空間から第一回動可能嵌合部６１と第二回動可能嵌合部６２の径方向外側に収容空間を拡大した空間に渡って表面積を広げるように、縦置きの状態で機能部収容部６３内に収容されている。
【０１０１】
また、第一回路基板５１は、第一回動ガイド部１４が覆う直管状カバー部１２の端部内方に挿入可能な部分である直管状カバー端部挿入部５１ａを有する。
【０１０２】
直管状カバー端部挿入部５１ａは、第一回路基板５１の基板端部であり、直管状カバー部１２の内径よりも小さい幅に調整された部分である。
【０１０３】
この直管状カバー端部挿入部５１ａは、メモリカードのカードスロット３３、および、通信モジュール３４が配置されている。
【０１０４】
第二回路基板５２は、第一回動可能嵌合部６１の円筒状部分を形成する壁６１ｃの下方領域まで基板端部が延在された状態で機能部収容部６３内に収容されている。
【０１０５】
なお、第一回路基板５１および第二回路基板５２は、図１１に示すように、筐体部６０を２分割した状態で、第二筐体部６０Ｂに保持されるようになっている。
【０１０６】
このようなＬＥＤ照明装置２は、既存の直管状蛍光灯のソケットに対して取付け可能であり、一方のソケットから供給される電源を利用して複数のＬＥＤ１１ａおよび機能部５０に電源が供給されるようになっている。
また、ＬＥＤ照明装置２は、４つの第一ネジ孔６１ａにネジ止め固定された４つのネジＳ、および４つの第二ネジ孔６２ａにネジ止め固定された４つのネジＳを緩めることによって筐体部６０を第一回動ガイド部１４および第二回動ガイド部２０の外周面に沿って回動させることができるようになっている。
このため、ＬＥＤ照明装置２は、筐体部６０を第一、第二ガイド溝１４ａ、２１ａの周方向の幅に対応した範囲で回動してネジ止め固定することよって、カメラの撮像位置を調整することができるようになっている。
【０１０７】
次に、機能部５０が収容された筐体部６０を照明部１０から離脱させる手順について説明する。
【０１０８】
まず、作業者は、ＬＥＤ照明装置２を直管状蛍光灯のソケットから外し、４つの第一ネジ孔６１ａにネジ止め固定された４つのネジＳを緩める。
すると、筐体部６０の第一回動可能嵌合部６１と照明部１０の第一回動ガイド部１４とのネジ止めによる固定が解除され、
すなわち、４つの第一ネジ孔６１ａにネジ止め固定された４つのネジＳは、筐体部６０を照明部１０に対して所定の回動位置で固定する回動位置調整用のネジＳとして機能するとともに、筐体部６０を照明部１０に固定するためのネジＳとして機能している。
【０１０９】
次に、作業者は、筐体部６０の第一回動可能嵌合部６１から照明部１０の第一回動ガイド部１４を引き抜いて、筐体部６０を照明部１０から外す。
なお、この状態では、照明部１０のチップアンテナ１６から引き出されたコネクタＣ、および、電源制御回路部１５に繋がる電線Ｗの端末部に設けられたコネクタＣが機能部５０側のそれぞれのコネクタＣあるいは不図示の端子部に接続された状態にある。
【０１１０】
最後に、作業者は、照明部１０と機能部５０との接続を解除することによって、筐体部６０を照明部１０から離脱完了し、この作業を終了する。
この実施例２では、作業者は、照明部１０の電源制御回路部１５と機能部５０の第一回路基板５１とのコネクタ接続の解除、および、照明部１０のチップアンテナと機能部５０の通信モジュール３４のコネクタ接続の解除を行う。
【０１１１】
なお、この説明では、照明部１０から離脱完了した筐体部６０は、第二回動ガイド部２０には固定された状態である。
【０１１２】
次に、上述の作業によって照明部１０から離脱した筐体部６０を照明部１０に装着する手順について説明する。
まず、作業者は、照明部１０と機能部５０とをコネクタＣによって接続する。
この実施例２では、作業者は、照明部１０の電源制御回路部１５と機能部５０の第一回路基板５１とのコネクタによる接続、および、照明部１０のチップアンテナ１６と機能部５０の通信モジュール３４とのコネクタＣによる接続を行う。
【０１１３】
次に、作業者は、筐体部６０の第一回動可能嵌合部６１に照明部１０の第一回動ガイド部１４を嵌め込む。
この作業では、第一回路基板５１の直管状カバー端部挿入部５１ａを直管状カバー部１２の端部内方に挿入するようにして筐体部６０の第一回動可能嵌合部６１に照明部１０の第一回動ガイド部１４を嵌め込む。
【０１１４】
次に、作業者は、４つの第一ネジ孔６１ａに４つのネジＳをネジ止め固定することによって、照明部１０に筐体部６０を固定する。
このネジ止め固定作業では、作業者は、４つの第一ネジ孔６１ａのうち、少なくとも１つの第一ネジ孔６１ａが対応する第一ガイド溝１４ａに重なる位置にあることを確認した後、４つの第一ネジ孔６１ａに４つのネジＳをネジ止め固定する。
【０１１５】
最後に、作業者は、ＬＥＤ照明装置２を直管状蛍光灯のソケットに取り付け、この作業を終了する。
【０１１６】
なお、この実施例２では、４つの第一ネジ孔６１ａに４つのネジＳをネジ止め固定することによって、照明部１０に筐体部６０を固定した後に、ＬＥＤ照明装置２を直管状蛍光灯のソケットに取り付ける手順を示したが、これに限らず、４つのネジＳが緩んだままの状態でＬＥＤ照明装置２を直管状蛍光灯のソケットに取り付け、照明部１０に対する筐体部６０の回動位置を調整した後に４つのネジをネジ止め固定するようにしてよい。
【０１１７】
本発明の実施例２に係るＬＥＤ照明装置２は、機能部５０を収容した筐体部６０が、照明部１０の直管状カバー部１２の第一回動ガイド部１４に一端部の第一回動可能嵌合部６１を嵌め込み、他端部の第二回動可能嵌合部６２を第二回動ガイド部２０に嵌め込むことによって、第一、二ガイド溝１４ａ、２１ａに沿って回動可能、かつ、所定の回動位置で固定可能になっているので、照明部１０に対して回動可能、かつ、着脱可能になっている。
本発明の実施例２に係るＬＥＤ照明装置２は、第一回動可能嵌合部６１と第二回動可能嵌合部６２の間の空間に加えて第一回動可能嵌合部６１および第二回動可能嵌合部６２の径方向外側に拡大された収容空間を有する機能部収容部６３に機能部５０を収容することができる。
したがって、本発明の実施例２に係るＬＥＤ照明装置２は、照明部１０に対して回動可能な筐体部６０を照明部１０に容易に着脱することができ、かつ、筐体部６０の機能部５０を収容するための収容空間を確保し易くすることができる。
【０１１８】
また、本発明の実施例２に係るＬＥＤ照明装置２は、筐体部６０が、第一回動可能嵌合部６１に第一ネジ孔６１ａが形成されており、第二回動可能嵌合部６２に第二ネジ孔６２ａが形成されており、第一ガイド溝１４ａの底面にネジＳが当接されるように第一ネジ孔６１ａにネジ止めし、かつ、第二ガイド溝２１ａの底面にネジＳが当接されるように第二ネジ孔６２ａにネジ止めすることによって、所定の回動位置で固定される。
このため、本発明の実施例２に係るＬＥＤ照明装置２は、照明部１０に対する回動位置を調整して筐体部６０を固定するためのネジ止め固定によって、筐体部６０を照明部１０に固定することができる。
【０１１９】
また、本発明の実施例２に係るＬＥＤ照明装置２は、無線通信を可能とする無線通信部としてのチップアンテナ１６および通信モジュール３４を有するので、外部との情報の送受信を無線で行うことができる。
【０１２０】
また、本発明の実施例２に係るＬＥＤ照明装置２は、機能部５０が、制御回路が形成された回路基板としての第一回路基板５１を有し、第一回路基板５１が、第一回動ガイド部１４が覆う直管状カバー部１２の端部内方に挿入可能な部分である直管状カバー端部挿入部５１ａを有するので、直管状カバー部１２の端部内方領域に渡って、機能部５０が収容される領域を効果的に拡大することができる。
【０１２１】
また、本発明の実施例２に係るＬＥＤ照明装置２は、機能部５０が、メモリカードを記憶媒体とする記憶部としてのカードスロット３３を有し、該カードスロット３３が、直管状カバー端部挿入部５１ａに配置されている。
このため、本発明の実施例２に係るＬＥＤ照明装置２は、筐体部６０を照明部１０から外した状態で筐体部６０の開口部分となる第一回動可能嵌合部６１内まで突出された直管状カバー端部挿入部５１ａにカードスロット３３が配置されるので、カードスロット３３からのメモリカードの抜き差しを容易に行うことができる。
【０１２２】
なお、本発明の実施例１、２に係るＬＥＤ照明装置１、１Ｖ、２は、チップアンテナ１６をＬＥＤ回路基板１１に実装するものを例示したが、筐体部４０、６０が無線通信を阻害しない材質のもの、あるいは、無線通信を阻害しない構造を用いている場合、チップアンテナ１６を筐体部４０、６０内に設けるようにしてもよい。
【０１２３】
また、本発明の実施例１、２に係るＬＥＤ照明装置１、１Ｖ、２は、機能部３０、５０が第一回路基板３１、５１と第二回路基板３２、５２との２つの回路基板を有するものを例示したが、回路基板の数は２つに限らず、１つであってもよいし、２つ以上であってもよい。
【０１２４】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【０１２５】
１、１Ｖ、２    ＬＥＤ照明装置
１０            照明部
１１            ＬＥＤ回路基板
１１ａ          ＬＥＤ
１２            直管状カバー部
１３            電源供給接続部
１３ａ          ピン
１４            第一回動ガイド部
１４ａ          第一ガイド溝
１５            電源制御回路部
１６            チップアンテナ（無線通信部）
２０            第二回動ガイド部
２１            有底筒状部
２１ａ          第二ガイド溝
２２            ピン
３０、５０      機能部
３１、５１      第一回路基板
３２、５２      第二回路基板
３３            カードスロット
３４            通信モジュール（無線通信部）
３５            パイロットランプ
３６            レンズ
４０、６０      筐体部
４０Ａ、４０Ｂ  筐体部（２分割された一方の筐体部）
４０ａ、６０ａ  蓋
６０Ａ          第一筐体部
６０Ｂ          第二筐体部
４１、６１      第一回動可能嵌合部
４１ａ、６１ａ  第一ネジ孔
４１ｂ、６１ｂ  第一連結固定用ネジ孔
４１ｃ、６１ｃ  壁
４２、６２      第二回動可能嵌合部
４２ａ、６２ａ  第二ネジ孔
４２ｂ、６２ｂ  第二連結固定用ネジ孔
４２ｃ、６２ｃ  壁
４３、６３      機能部収容部
４４            ヒートシンク装着部
４４ａ          スライドガイド溝
４５、４９      ヒートシンク
４６            フィン部
４６ａ          フィン
４７            被ガイド部
４８            ネジ挿通孔
５１ａ          直管状カバー端部挿入部
Ｓ              ネジ
Ｃ              コネクタ
【図１】
2020057490.tif 000003
【図２】
2020057490.tif 000004
【図３】
2020057490.tif 000005
【図４】
2020057490.tif 000006
【図５】
2020057490.tif 000007
【図６】
2020057490.tif 000008
【図７】
2020057490.tif 000009
【図８】
2020057490.tif 000010
【図９】
2020057490.tif 000011
【図１０】
2020057490.tif 000012
【図１１】
2020057490.tif 000013
【図１２】
2020057490.tif 000014
【図１３】
2020057490.tif 000015